(57)【要約】【課題】処理量を低減しつつ受信性能を高くする。【解決手段】推定手段１０５が、受信信号に基づいて複数のパスの存在状況を推定する。レイク合成手段１１７が、各パスに対応する信号ごとに伝送路推定、位相振幅補償、逆拡散処理のレイク処理を行い、レイク処理された複数の信号を合成する。周波数等化手段１１８が、受信信号をフーリエ変換した信号に周波数等化処理を行い、処理された信号に逆拡散処理を行う。動作選択手段１０５が、複数のパスの存在状況に基づいて、レイク合成手段及び周波数等化手段のいずれか１つを動作させる。【選択図】図１
2006094215.tif 000002
【特許請求の範囲】
【請求項１】
符号分割多重（ＣＤＭＡ：Code Division Multiple Access）方式での無線通信受信装置において、
受信信号に基づいて複数のパスの存在状況を推定する推定手段と、
各前記パスに対応する信号ごとに伝送路推定、位相振幅補償、逆拡散処理のレイク処理を行い、レイク処理された複数の信号を合成するレイク合成手段と、
前記受信信号をフーリエ変換した信号に周波数等化処理を行い、処理された信号に逆拡散処理を行う周波数等化手段と、
前記複数のパスの存在状況に基づいて、前記レイク合成手段及び前記周波数等化手段のいずれか１つを動作させる動作手段を具備することを特徴とする無線通信受信装置。
【請求項２】
前記レイク合成手段は、
各前記信号に対して前記レイク処理を行う複数のレイク手段と、
各前記信号を各前記レイク手段に割り当てる割り当て手段と、
各前記レイク手段の出力を合成する合成手段を具備し、
前記周波数等化手段は、
前記受信信号を周波数軸上の信号にフーリエ変換する変換手段と、
前記フーリエ変換された信号に等化処理を行う等化処理手段と、
等化処理された信号を時間軸上の信号に逆フーリエ変換する逆変換手段と、
前記逆フーリエ変換された信号に逆拡散処理を行う逆拡散手段を具備することを特徴とする請求項１に記載の無線通信受信装置。
【請求項３】
前記推定手段は、前記複数のパスが存在する期間を推定し、
前記動作手段は、前記期間が前記受信信号のガードインターバルの時間よりも長い場合には前記レイク合成手段を動作させ、前記期間が前記受信信号のガードインターバルの時間以下である場合は前記周波数等化手段を動作させることを特徴とする請求項１又は請求項２に記載の無線通信受信装置。
【請求項４】
前記推定手段は、前記複数のパスの数を推定し、
前記動作手段は、前記複数のパスの数に応じて、前記レイク合成手段及び前記周波数等化手段のいずれか１つを動作させることを特徴とする請求項１又は請求項２に記載の無線通信受信装置。
【請求項５】
前記動作手段は、前記複数のパスの数が前記レイク処理可能な数よりも多い場合は前記周波数等化手段を動作させ、前記複数のパスの数が前記レイク処理可能な数以下である場合は前記レイク合成手段を動作させることを特徴とする請求項４に記載の無線通信受信装置。
【請求項６】
前記推定手段は、前記受信信号とパイロット信号との相関値に基づいて前記パスの存在状況を推定することを特徴とする請求項１から請求項５のいずれか１項に記載の無線通信受信装置。
【請求項７】
前記推定手段は、
前記相関値が或る閾値よりも大きい場合にパスが存在すると認識する認識手段と、
前記無線通信受信装置の電池残量が或る量よりも少ない場合に前記閾値を増加させ、該電池残量が該或る量よりも多い場合に前記閾値を減少させる閾値変更手段を具備することを特徴とする請求項６に記載の無線通信受信装置。
【請求項８】
前記推定手段は、
前記相関値が或る閾値よりも大きい場合にパスが存在すると認識する認識手段と、
通信中のサービスの要求品質が或る品質よりも低い場合に前記閾値を増加させ、該要求品質が該或る品質よりも高い場合に前記閾値を減少させる閾値変更手段を具備することを特徴とする請求項６に記載の無線通信受信装置。
【請求項９】
前記推定手段は、
前記相関値が或る閾値よりも大きい場合にパスが存在すると認識する認識手段と、
待ち受け処理を行っている場合に前記閾値を増加させ、通信処理を行っている場合に前記閾値を減少させる閾値変更手段を具備することを特徴とする請求項６に記載の無線通信受信装置。
【請求項１０】
前記推定手段は、
前記相関値が或る閾値よりも大きい場合にパスが存在すると認識する認識手段と、
復号結果の誤り率が高い場合に前記閾値を増加させ、復号結果の誤り率が低い場合に前記閾値を減少させる閾値変更手段を具備することを特徴とする請求項６に記載の無線通信受信装置。
【発明の詳細な説明】
【技術分野】
【０００１】
本発明は、無線通信システムにおける無線通信受信装置に関し、特にＣＤＭＡ（Code Division Multiple Access）通信システムにおける無線通信受信装置に関する。
【背景技術】
【０００２】
従来のＣＤＭＡ方式の無線通信受信装置においては、マルチパスサーチを行い、推定したパスに対してレイクフィンガを割り当て、レイク合成を行うことにより、パスダイバシチゲインを得る。
【０００３】
また、最近のＣＤＭＡ方式の無線通信受信装置では、広帯域のＣＤＭＡ無線通信に周波数等化を用いて、パスによる干渉をキャンセルする方法も提案されている（例えば、非特許文献１）。
【非特許文献１】F. Adachi, T. Sao, and T. Itagaki, “Performance of multicode DS-CDMA using frequency domain equalization in a frequency selective fading channel,” Electronics Letters, Vol. 39, pp.239-241, Jan. 2003.
【発明の開示】
【発明が解決しようとする課題】
【０００４】
しかし、レイク合成を行うＣＤＭＡ方式の無線通信受信装置の場合、処理できるフィンガ数に限界があるため、フィンガ数以上のマルチパスが到来した場合、マルチパス干渉に起因する受信性能劣化が問題となる。  
また、周波数等化を行うＣＤＭＡ方式の無線通信受信装置の場合、到来するマルチパス数が少ない場合はレイク合成と比較して受信性能は同等であるが、処理量が大きくなるという問題がある。さらに、周波数等化では、ガードインターバルを超えるマルチパスが存在する場合に、受信性能が著しく劣化するという問題もある。  
その他に、無線通信受信装置の消費電力の低減や、受信性能の向上が課題となっている。
【０００５】
この発明は、上述した問題点に鑑みなされたものであって、処理量を低減しつつ受信性能の高い無線通信受信装置を提供することを目的とする。
【課題を解決するための手段】
【０００６】
本発明の無線通信受信装置によれば、符号分割多重（ＣＤＭＡ：Code Division Multiple Access）方式での無線通信受信装置において、受信信号に基づいて複数のパスの存在状況を推定する推定手段と、各前記パスに対応する信号ごとに伝送路推定、位相振幅補償、逆拡散処理のレイク処理を行い、レイク処理された複数の信号を合成するレイク合成手段と、前記受信信号をフーリエ変換した信号に周波数等化処理を行い、処理された信号に逆拡散処理を行う周波数等化手段と、前記複数のパスの存在状況に基づいて、前記レイク合成手段及び前記周波数等化手段のいずれか１つを動作させる動作手段を具備することを特徴とする。
【発明の効果】
【０００７】
本発明の無線通信受信装置によれば、処理量を低減しつつ受信性能を高くすることができる。
【発明を実施するための最良の形態】
【０００８】
以下、図面を参照しながら本発明の実施形態にかかる無線通信受信装置について詳細に説明する。  
本実施形態の無線通信受信装置は、図１に示すように、無線周波数処理部（ＲＦ）１０１、デジタル・アナログ変換処理部（ＤＡＣ）１０２、帯域通過フィルタ処理部（ＢＰＦ）１０３、相関値計算処理部（Correlator）１０４、マルチパス推定処理・等化方法選択処理部（Multi-path Estimator）１０５、パス閾値制御処理部（Threshold Controller）１０６、拡散コード生成処理部（Code Generator）１１０、パイロット信号生成処理部（Pilot）１０７、誤り訂正処理部（Error Collect）１１５、レイク合成処理部１１７、周波数等化処理部１１８、スイッチ１１９、１２０を備えている。  
無線周波数処理部１０１は、アンテナで受信したＣＤＭＡ信号を入力して、アナログベースバンド周波数信号への周波数変換処理を行う。デジタル・アナログ変換処理部１０２は、無線周波数処理部１０１の出力信号を入力してデジタル信号に変換する。帯域通過フィルタ処理部１０３は、或る帯域の信号のみをフィルタリングする。
【０００９】
パイロット信号生成処理部１０７は、パイロット信号を生成する。このパイロット信号は、送信側からどのような信号が送信されるか受信側が事前に把握している既知信号であり、通常、上位レイヤから通知される。  
相関値計算処理部１０４は、帯域通過フィルタ処理部１０３の出力信号と、パイロット信号生成処理部１０７の出力信号との相互相関値を計算し、計算結果を出力する。相関値計算処理部１０４は、予め定められた期間において計算した相互相関値を平均化し、この平均化した計算結果を出力信号として出力してもよい。  
マルチパス推定処理・等化方法選択処理部１０５は、相関値計算処理部１０４からの相互相関値（以下、相関値と称する）と、パス閾値制御処理部１０６からのパス閾値を比較して、パス閾値を超えた相関値を持つ時間にパスが存在すると推定する。さらに、マルチパス推定処理・等化方法選択処理部１０５は、推定したマルチパスの状況に応じて、無線通信受信装置の等化方法について、レイク合成処理部１１７を使うか周波数等化処理部１１８を使うかを選択する。具体的な選択基準は、後に図２を参照して説明する。
【００１０】
また、マルチパス推定処理・等化方法選択処理部１０５は、レイク合成処理部１１７を選択すると決定した場合は、スイッチ１１９、１２０をＡ側に切り換える信号をスイッチ１１９、１２０に出力し、レイク合成処理部１１７の電源をオンにし、周波数等化処理部１１８の電源をオフにする。一方、マルチパス推定処理・等化方法選択処理部１０５は、周波数等化処理部１１８を選択すると決定した場合は、スイッチ１１９、１２０をＢ側に切り換える信号をスイッチ１１９、１２０に出力し、レイク合成処理部１１７の電源をオフにし、周波数等化処理部１１８の電源をオンにする。
【００１１】
パス閾値制御処理部１０６は、マルチパスが存在するか否かの判定基準であるパス閾値を設定してマルチパス推定処理・等化方法選択処理部１０５に出力する。パス閾値制御処理部１０６は、状況に応じてパス閾値を変化させてもよい。パス閾値制御処理部１０６がパス閾値を変化させるトリガとしては、電池残量、通信中のサービスのＱｏＳ、通信中であるか待ち受け中であるかの区別、復号結果の誤り率などが考えられる。パス閾値制御処理部１０６がパス閾値を変化させる詳細は、後に図６又は図７を参照して説明する。
【００１２】
スイッチ１１９、１２０は、マルチパス推定処理・等化方法選択処理部１０５からの指示により、スイッチをＡ側若しくはＢ側に切り換える。
【００１３】
拡散コード生成処理部１１０は、逆拡散処理のための拡散コードを生成する。誤り訂正処理部１１５は、レイク合成処理部１１７又は周波数等化処理部１１８の出力信号に対して誤り訂正処理を行う。
【００１４】
レイク合成処理部１１７は、マルチパス推定処理・等化方法選択処理部１０５で推定された通常複数のパスの状況情報と、帯域通過フィルタ処理部１０３の出力信号を入力して、パスに対応する信号ごとに伝送路推定、位相・振幅補償を行う。さらに、レイク合成処理部１１７は、拡散コード生成処理部１１０から拡散コードを入力しパスに対応する信号ごとに逆拡散処理を行う。
【００１５】
周波数等化処理部１１８は、帯域通過フィルタ処理部１０３の出力信号を入力して、フーリエ変換後、周波数等化処理を行いそして逆フーリエ変換を行う。その後、拡散コード生成処理部１１０から拡散コードを入力して逆フーリエ変換後の信号に対し逆拡散処理を行う。
【００１６】
レイク合成処理部１１７は、複数のフィンガ処理部（Rake Finger）１０８、合成部（Rake Combiner）１０９、マルチパス割り当て処理部（Multi-path Assign）１１６を備え、周波数等化処理部１１８は、フーリエ変換処理部（ＦＦＴ）１１１、周波数等化処理部（ＦＤＥ）１１２、逆フーリエ変換処理部（ＩＦＦＴ）１１３、逆拡散処理部１１４を備えている。
【００１７】
マルチパス割り当て処理部１１６は、マルチパス推定処理・等化方法選択処理部１０５で推定された通常複数のパスの状況情報に基づいて、各フィンガ処理部１０８に割り当てるパスを決定する。  
各フィンガ処理部１０８は、帯域通過フィルタ処理部１０３出力信号を入力し、マルチパス割り当て処理部１１６に割り当てられたパスの信号に対して、伝送路推定、位相・振幅補償を行う。さらに、フィンガ処理部１０８は、拡散コード生成処理部１１０から拡散コードを入力して、マルチパス割り当て処理部１１６に割り当てられたパスの信号に対して逆拡散処理を行う。  
合成部１０９は、各フィンガ処理部１０８からの出力信号を入力し、これらの信号を合成し、合成信号を出力する。
【００１８】
フーリエ変換処理部１１１は、帯域通過フィルタ処理部１０３の出力信号を入力して、この信号を周波数軸上の信号に変換する。  
周波数等化処理部１１２は、フーリエ変換処理部１１１の出力信号に対し周波数ごとに伝送路推定、位相・振幅補償を行う。  
逆フーリエ変換処理部１１３は、周波数等化処理部１１２の出力信号を時間軸上の信号に変換する。  
逆拡散処理部１１４は、拡散コード生成処理部１１０からの拡散コードを入力して、逆拡散処理を行う。
【００１９】
次に、マルチパス推定処理・等化方法選択処理部１０５における推定処理及び選択処理の一例を図２及び図３を参照して説明する。
【００２０】
マルチパス推定処理・等化方法選択処理部１０５は、相関値計算処理部１０４が出力した信号とパス閾値制御処理部１０６の出力であるパス閾値を比較して、マルチパスが存在するか否かを判定する。図２に示した例では、パス２０１及びパス２０２の相関値（パスの電力に対応する）がパス閾値を超えているので、この例では、パスの数は２である。  
さらに、マルチパス推定処理・等化方法選択処理部１０５では、推定したマルチパスの状況に応じて、受信機の等化方法について、レイク合成処理部１１７を使うか周波数等化処理部１１８を使うかを選択する。
【００２１】
具体的な選択基準の１つとして、或る時間内でパスであると推定されたものの数が所定数より小さいか否かで選択する場合がある。ここで、ＮFinger_Max  をマルチパス割り当て処理部１１６がフィンガ処理部１０８にパスを割り当てることができる最大のパス数とする。すなわち、ＮFinger_Max  は、フィンガ処理部１０８の数である。  
マルチパス推定処理・等化方法選択処理部１０５が推定したパスの数がＮFinger_Max  よりも小さい場合はレイク合成処理部１１７を選択し、一方、推定したパスの数がＮFinger_Max  よりも小さくない場合は周波数等化処理部１１８を選択する。例えば、図２に示した例の状況において、ＮFinger_Max  ＝４であるとすると、パスと推定された相関値は２本であるので、マルチパス推定処理・等化方法選択処理部１０５はレイク合成処理部１１７を選択する。
【００２２】
レイク合成処理部１１７での処理量は、周波数等化処理部１１８の処理量よりも少ない。したがって、上述したように、推定されたパスの数が多い場合に周波数等化を行うことで、マルチパス干渉による受信性能劣化を抑えるとともに、マルチパスの数が少ない場合にレイク合成処理を行うことで等化処理に必要な処理量を低減することができる。  
また、一般的に、レイク合成処理を行うとき、受信信号とパイロット信号の相関値を用いてマルチパスの電力（相関値）を測定し、その値を用いて各パスをフィンガ処理部１０８に割り当てる。上述したように、推定したマルチパスの電力情報を利用して等化方法の切り換えを行うことで、処理の共通化が可能になり、受信処理全体の処理量の増加を抑えることができる。
【００２３】
一方、図３に示した例では、パス３０１からパス３０５の５本のパスがパス閾値よりも大きな相関値を有する。図２の場合と同様に、ＮFinger_Max  ＝４であるとすると、パスの数がＮFinger_Max  よりも大きいので、マルチパス推定処理・等化方法選択処理部１０５は、周波数等化処理部１１８を選択する。
【００２４】
レイク合成処理部１１７で、推定したパスの数がフィンガ処理部１０８の数よりも大きい場合に、レイク合成処理部１１７がレイク合成を行った場合、フィンガ処理部１０８に割り当てることのできなかったパスが干渉となって、受信性能が劣化してしまうので、マルチパス推定処理・等化方法選択処理部１０５は周波数等化処理部１１８を選択する。
【００２５】
次に、マルチパス推定処理・等化方法選択処理部１０５における選択処理の別の例を図４及び図５を参照して説明する。  
この例の等化方法選択手法は、推定されたパスのうちの時間的に最初に位置するパスと最後に位置するパスとの間の時間が、ガードインターバルよりも長い場合に周波数等化処理部１１８の性能が大きく劣化することに基づいている。これを防ぐために、推定されたパスのうちの時間的に最初に位置するパスと最後に位置するパスとの間の時間が、ガードインターバルよりも長い場合に、マルチパス推定処理・等化方法選択処理部１０５が、レイク合成処理部１１７を選択することにより受信性能の向上を図ることができる。一方、推定されたパスのうちの時間的に最初に位置するパスと最後に位置するパスとの間の時間が、ガードインターバル以下である場合は、周波数等化処理部１１８を選択する。このようなパスの時間とガードインターバルの関係の場合は周波数等化処理部１１８によって十分な受信性能が得られる。すなわち、マルチパス推定処理・等化方法選択処理部１０５は、複数のパスが存在する期間とガードインターバルの長さを比較して等化方法を選択する。
【００２６】
図４の例では、マルチパス推定処理・等化方法選択処理部１０５は、推定されたパスのうちの時間的に最初に位置するパス４０１と最後に位置するパス４０３との間の時間が、ガードインターバルよりも短いので、周波数等化処理部１１８を選択する。
【００２７】
図５の例では、マルチパス推定処理・等化方法選択処理部１０５は、推定されたパスのうちの時間的に最初に位置するパス５０１と最後に位置するパス５０３との間の時間が、ガードインターバルよりも長いので、レイク合成処理部１１７を選択する。
【００２８】
一般的に、周波数等化を行うＣＤＭＡ受信システムでは、送信信号をある程度のブロック（数シンボル）に分割して、各ブロックの後ろに各ブロックの先頭の数チップを付加し、それをガードインターバルとして、送信信号を作成する。このとき、マルチパスの遅延時間が、付加された、送信信号のガードインターバルの時間であるＴＧＩより大きい場合、周波数等化を用いた受信処理は性能が劣化することが一般的に知られている。このため、マルチパス遅延時間がＴＧＩより大きい場合、レイク受信に切り換えることにより、マルチパス遅延時間の広がりに起因する受信性能の劣化を防ぐことができる。
【００２９】
次に、パス閾値制御処理部１０６が状況に応じてパス閾値を変化させる手法を図６及び図７を参照して説明する。  
パス閾値制御処理部１０６がパス閾値を変化させるトリガとしては、例えば、電池残量、通信中のサービスのＱｏＳ、通信中であるか待ち受け中であるかの区別、復号結果の誤り率などがある。
【００３０】
（通信中であるか否か）  
トリガが通信中であるか待ち受け中であるかの区別の場合は、パス閾値制御処理部１０６は、待ち受け中にパス閾値を高くし、通信中にパス閾値を低くする。待ち受け中にパス閾値を高く設定すると、図６のように、パスとして判定されるものが少なくなる。このため、相対的にパスとして判定されるものの数は減少するため、マルチパス推定処理・等化方法選択処理部１０５はレイク合成処理部１１７を選択しやすくなる。レイク合成処理部１１７は、周波数等化処理部１１８に比べて処理量が少ないため、待ち受け中の無線通信受信装置における低消費電力化を図ることができる。  
また、通信中にパス閾値を低く設定すると、図６と同じ環境においても、図７のように、パスとして判定されるものが多くなる。このため、相対的にパスとして判定されるものの数は増大するため、マルチパス推定処理・等化方法選択処理部１０５は周波数等化処理部１１８を選択しやすくなる。周波数等化処理部１１８は、レイク合成処理部１１７に比べてマルチパスの増加による干渉に対して強いため、無線通信受信装置における受信性能の向上を図ることができる。以上のような処理を行うことで、本実施形態の無線通信受信装置は、待ち受け中には処理量を抑え、通信中には受信性能の向上を図ることができる。
【００３１】
（電池残量が少ないか否か）  
トリガが電池残量が少ないか否かの場合には、パス閾値制御処理部１０６は、電池残量が少ない場合に、図６のように、パス閾値を高く設定することで、より大きなパスが存在しない限り、マルチパス推定処理・等化方法選択処理部１０５はパスとして判定するものが少なくなる。パスと認識される本数は相対的に少なくなるため、マルチパス推定処理・等化方法選択処理部１０５は、レイク合成処理部１１７を選択しやすくなる。この場合、通信品質は多少の劣化を招くものの、低消費電力を実現することができる。  
また、電池残量が多く、電池残量に余裕がある場合には、図７のように、パス閾値を低く設定することで、マルチパス推定処理・等化方法選択処理部１０５はパスとして判定するものが多くなる。パスと認識される本数は相対的に多くなるため、マルチパス推定処理・等化方法選択処理部１０５は、周波数等化処理部１１８を選択しやすくなる。この場合、周波数等化処理部１１８は、消費電力は大きいが、レイク合成処理部１１７に比べてマルチパスの増加による干渉に対して強いため、受信機における受信性能の向上を図ることができる。以上のような処理を行うことで、本実施形態の無線通信受信装置は、電池残量が少ない場合は低消費電力化を図ることができ、電池残量が多い場合は受信性能の向上を図ることができる。
【００３２】
（通信中のサービスのＱｏＳが低いか否か）  
トリガが通信中のサービスのＱｏＳ（要求される品質）が低いか否かの場合は、パス閾値制御処理部１０６は、ＱｏＳが低い場合にパス閾値を高くし、ＱｏＳが高い場合にパス閾値を低くする。ＱｏＳが低い場合にパス閾値を高く設定すると、図６のように、パスとして判定されるものが少なくなる。このため、相対的にパスとして判定されるものの数は減少するため、マルチパス推定処理・等化方法選択処理部１０５はレイク合成処理部１１７を選択しやすくなる。この場合、通信品質は多少の劣化を招くものの、低消費電力が実現できる。  
また、ＱｏＳが高い場合にパス閾値を低く設定すると、図７のように、パスとして判定されるものが多くなる。このため、相対的にパスとして判定されるものの数は増大するため、マルチパス推定処理・等化方法選択処理部１０５は周波数等化処理部１１８を選択しやすくなる。この場合、消費電力は大きいが、受信性能の向上を図ることができる。以上のような処理を行うことで、本実施形態の無線通信受信装置は、要求品質であるＱｏＳが低いサービスの通信中に受信機における低消費電力化を図ることができ、ＱｏＳが高いサービスの通信中に、受信機における受信性能の向上を図ることができる。
【００３３】
（復号結果の誤り率が低いか否か）  
レイク受信を行っている際に、復号結果の誤り率が高い場合、その原因の１つとして、フィンガ処理部１０８に割り当てていない小さなマルチパスによる干渉がある。また、周波数等化では、小さなマルチパスによる干渉による劣化は生じない。この科学的事実に基づき、トリガが復号結果の誤り率が低いか否かの場合には、パス閾値制御処理部１０６は、誤り率が低い場合はパス閾値を高くし、誤り率が低くない場合はパス閾値を低くする。誤り率が低い場合にパス閾値を高く設定すると、図６のように、パスとして判定されるものが少なくなる。このため、相対的にパスとして判定されるものの数は減少するため、マルチパス推定処理・等化方法選択処理部１０５はレイク合成処理部１１７を選択しやすくなる。この場合、通信品質は多少の劣化を招くものの、低消費電力が実現できる。  
また、誤り率が高い場合にパス閾値を低く設定すると、図７のように、パスとして判定されるものが多くなる。このため、相対的にパスとして判定されるものの数は増大するため、マルチパス推定処理・等化方法選択処理部１０５は周波数等化処理部１１８を選択しやすくなる。この場合、消費電力は大きいが、受信性能の向上を図ることができる。以上のような処理を行うことで、本実施形態の無線通信受信装置は、誤り率が低い場合には低消費電力化を図ることができ、誤り率が高い場合には受信性能の向上を図ることができる。
【００３４】
次に、図１の無線通信受信装置の動作をマルチパス推定処理・等化方法選択処理部１０５の動作を中心に図８を参照して説明する。  
パス閾値制御処理部１０６が、上位レイヤ（Higher Layer）から無線通信受信装置が現在通信中であるか否かを判定する（ステップＳ８０１）。通信中である場合はステップＳ８０２に進み、一方、通信中でなく待ち受け中である場合はステップＳ８０３に進む。  
ステップＳ８０２では、パス閾値制御処理部１０６が、パス閾値を低く設定し、ステップＳ８０３ではパス閾値制御処理部１０６がパス閾値を高く設定する。どの程度パス閾値を低くするか又は高くするかは、例えば、レイク合成処理部１１７及び周波数等化処理部１１８の性能により決定される。また、この他の装置部分の性能に基づいて決定されてもよい。
【００３５】
相関値計算処理部１０４が、帯域通過フィルタ処理部１０３の出力信号と、パイロット信号生成処理部１０７の出力信号との相関値を計算し、計算結果を出力する（ステップＳ８０４）。マルチパス推定処理・等化方法選択処理部１０５が、ステップＳ８０４で計算された相関値と、ステップＳ８０２又はステップＳ８０３で設定されたパス閾値を比較して、パス閾値を超えた相関値を持つ時間にパスが存在するとしてパスの数を推定する（ステップＳ８０５）。
【００３６】
マルチパス推定処理・等化方法選択処理部１０５が、ステップＳ８０５で推定されたパスの数が、マルチパス割り当て処理部１１６がフィンガ処理部１０８にパスを割り当てることができる最大のパス数であるＮFinger_Max  （最大フィンガ数）よりも大きいか否かを判定する（ステップＳ８０６）。ＮFinger_Max  よりも大きい場合はステップＳ８０７に進み、一方、ＮFinger_Max  よりも大きくない場合はステップＳ８０８に進む。
【００３７】
ステップＳ８０７では、マルチパス推定処理・等化方法選択処理部１０５が、帯域通過フィルタ処理部１０３の出力信号を等化するために周波数等化処理部１１８を選択し、スイッチ１１９、１２０をＢ側に切り換える信号をスイッチ１１９、１２０に出力し、レイク合成処理部１１７の電源をオフにし、周波数等化処理部１１８の電源をオンにする。
【００３８】
ステップＳ８０８では、マルチパス推定処理・等化方法選択処理部１０５が、帯域通過フィルタ処理部１０３の出力信号を等化するためにレイク合成処理部１１７を選択し、スイッチ１１９、１２０をＡ側に切り換える信号をスイッチ１１９、１２０に出力し、レイク合成処理部１１７の電源をオンにし、周波数等化処理部１１８の電源をオフにする。
【００３９】
図８に示した例では、ステップＳ８０１のパス閾値変更トリガが「通信中・待ち受け中」であり、ステップＳ８０６の等化方法選択トリガが「推定されたパスの数とレイクフィンガ数の比較」であるが、この他のトリガもある。パス閾値変更トリガとしては、上記で図６及び図７を参照して説明したように、電池残量が少ないか否か、通信中のサービスのＱｏＳが低いか否か、復号結果の誤り率が低いか否かに基づいてパス閾値を設定してもよい。  
等化方法選択トリガとしては、上記で図４及び図５を参照して説明したように、マルチパス推定処理・等化方法選択処理部１０５で推定されたパスのうちの時間的に最初に位置するパスと最後に位置するパスとの間の時間が、ガードインターバルよりも長いか否かに応じて、レイク合成処理部１１７を選択するか、周波数等化処理部１１８を選択するかを決定してもよい。また、ガードインターバルによる選択方法と最大フィンガ数による選択方法を組み合わせてもよい。
【００４０】
以上に示した実施形態によれば、無線通信送信装置と無線通信受信装置間との伝搬路の状態に起因するマルチパスの状態に応じて、レイク合成処理部と周波数等化処理部を切り換えることにより、伝送路に応じた最適な等化方法を選択することが可能になり、高受信特性、低処理量のＣＤＭＡ無線通信受信装置を実現することができる。
【００４１】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４２】
【図１】本発明の実施形態にかかる無線通信受信装置のブロック図。
【図２】図１の相関値計算処理部１０４の相関値とパス閾値制御処理部１０６のパス閾値を比較して、マルチパスが比較的少ない例を示す図。
【図３】図１の相関値計算処理部１０４の相関値とパス閾値制御処理部１０６のパス閾値を比較して、マルチパスが比較的多い例を示す図。
【図４】マルチパスの時間的な広がりがガードインターバルの長さよりも小さい例を示す図。
【図５】マルチパスの時間的な広がりがガードインターバルの長さよりも大きい例を示す図。
【図６】図１のパス閾値制御処理部１０６がパス閾値を高く設定して、パスの数を減らした場合を示す図。
【図７】図１のパス閾値制御処理部１０６がパス閾値を低く設定して、パスの数を増やした場合を示す図。
【図８】図１の無線通信受信装置の動作を示すフローチャート。
【符号の説明】
【００４３】
１０１・・・無線周波数処理部（ＲＦ）、１０２・・・デジタル・アナログ変換処理部（ＤＡＣ）、１０３・・・帯域通過フィルタ処理部（ＢＰＦ）、１０４・・・相関値計算処理部（Correlator）、１０５・・・マルチパス推定処理・等化方法選択処理部（Multi-path Estimator）、１０６・・・パス閾値制御処理部（Threshold Controller）、１０７・・・パイロット信号生成処理部（Pilot）、１０８・・・フィンガ処理部（Rake Finger）、１０９・・・合成部（Rake Combiner）、１１０・・・拡散コード生成処理部（Code Generator）、１１１・・・フーリエ変換処理部（ＦＦＴ）、１１２・・・周波数等化処理部（ＦＤＥ）、１１３・・・逆フーリエ変換処理部（ＩＦＦＴ）、１１４・・・逆拡散処理部、１１５・・・訂正処理部、１１６・・・マルチパス割り当て処理部（Multi-path Assign）、１１７・・・レイク合成処理部、１１８・・・周波数等化処理部、１１９、１２０・・・スイッチ
【図１】
2006094215.tif 000003
【図２】
2006094215.tif 000004
【図３】
2006094215.tif 000005
【図４】
2006094215.tif 000006
【図５】
2006094215.tif 000007
【図６】
2006094215.tif 000008
【図７】
2006094215.tif 000009
【図８】
2006094215.tif 000010